(57)【要約】【課題】切り換えレバーの回転時に撮像レンズ群の光軸の向きが変わらない撮像レンズ繰り出し装置を得る。【解決手段】撮像センサー素子１を搭載した回路基板３と、台座６と、切り換えレバー７を備えた回転筒体８、内周面に雌ネジ１０を設けたマクロコア１１、撮像レンズ群１２を内蔵して外周に雌ネジ１０に螺合する雄ネジ１３を有するレンズホルダー１４、ウエーブワッシャ１５、開口部１６を有するカバー１７を重ね、カバー１７を締め付けて回路基板３に固定する。台座６上にガイド筒部２１を突設する。ガイド筒部２１の外周に切り換えレバー７付き回転筒体８を回転可能に嵌める。マクロコア１１の下面にガイド筒部２１の先端部を嵌める環状溝２３を設ける。ガイド筒部２１の先端部にマクロコア１１の環状溝２３を摺動自在に嵌める。回転筒体８の上面に高さが周方向に沿って徐々に変わる複数の傾斜カム面２２を設ける。マクロコア１１の下面に各傾斜カム面２２に当接する突起２４をそれぞれ設ける。【選択図】図３
2008191383.tif 000002
【特許請求の範囲】
【請求項１】
撮像センサー素子を中央の垂直な軸心に中心をおいて搭載した回路基板と、前記撮像センサー素子に対応する前記軸心を包囲して窓を有して前記回路基板に固定された台座と、前記台座上に前記軸心に同心状に切り換えレバー付きで環状をした回転筒体、内周面に雌ネジを設けたマクロコア、撮像レンズ群を内蔵して外周に前記雌ネジに螺合する雄ネジを有するレンズホルダー、付勢手段、中央に開口部を有するカバーが重ねられ、前記カバーが前記台座に締め付け固定され、前記台座上に前記軸心に対して同軸状に環状のガイド筒部が突設され、前記ガイド筒部の外周に前記回転筒体が回転可能に嵌められ、前記回転筒体の前記軸心の回りでの回転に伴って前記撮像レンズ群付きの前記レンズホルダーが前記軸心の方向に移動する撮像レンズ繰り出し装置であって、
前記マクロコアの下面に前記ガイド筒部の先端部を嵌める環状溝が設けられ、前記ガイド筒部の先端部に前記マクロコアの前記環状溝が摺動自在に嵌められ、前記回転筒体の上面に前記軸心の方向に対する高さが周方向に沿って徐々に変わる複数の傾斜カム面が設けられ、前記マクロコアの下面に前記各傾斜カム面に当接する突起がそれぞれ設けられ、前記回転筒体の前記軸心の回りでの回転に伴う複数の前記傾斜カム面の回転で前記各突起の前記傾斜カム面上での接触位置が変わって、前記レンズホルダーを備えた前記マクロコアが前記軸心の方向に移動するようになっていることを特徴とする撮像レンズ繰り出し装置。
【請求項２】
前記ガイド筒部の先端部がシールリングを介して前記マクロコアの前記環状溝に嵌められて環状のシール部が、前記回転筒体より径方向の内側に形成されていることを特徴とする請求項１に記載の撮像レンズ繰り出し装置。
【発明の詳細な説明】
【技術分野】
【０００１】
本発明は、光学系機器に取り付けられる撮像レンズ群を、撮影面の垂直方向に移動させるための撮像レンズ繰り出し装置に関し、特に通常撮影モードとマクロ撮影モードとの切り換え機構を備えた撮像レンズ繰り出し装置に関するものである。
【背景技術】
【０００２】
従来のこの種の撮像レンズ繰り出し装置では、通常撮影モードとマクロ撮影モードとの切り換えレバー側と撮像レンズ群とが一体化されていて、切り換えレバーを回すと撮像レンズ群も回る構造であった。また従来のこの種の撮像レンズ繰り出し装置では、その固定系の部分と回転系の部分の摺動箇所の径方向の外側の部分にシール材が配置されていてシールを行う構造であった（例えば、特許文献１参照。）
【特許文献１】特許第３８１３１６７号公報
【発明の開示】
【発明が解決しようとする課題】
【０００３】
しかしながら、従来のこの種の撮像レンズ繰り出し装置では、切り換えレバーを回すと撮像レンズ群も回るので、撮像レンズ繰り出し装置の軸芯と撮像レンズ群の光軸との間に軸ずれがあると、撮像レンズ群の回転により撮像レンズ群の光軸の向きが変わり、適正な撮影ができない問題点があった。また、従来のこの種の撮像レンズ繰り出し装置では、その固定系の部分と回転系の部分の摺動箇所で発生する摩耗粉が撮像レンズ群側に移動してレンズが汚れる問題点があった。
【０００４】
本発明の目的は、切り換えレバーの回転時に撮像レンズ群の光軸の向きが変わらない撮像レンズ繰り出し装置を提供することにある。
【０００５】
本発明の他の目的は、固定系の部分と回転系の部分の摺動箇所で発生する摩耗粉が撮像レンズ群側に移動するのを阻止できる撮像レンズ繰り出し装置を提供することにある。
【課題を解決するための手段】
【０００６】
上述の如き従来の問題を解決し、所期の目的を達成するための請求項１に記載の発明は、撮像センサー素子を中央の垂直な軸心に中心をおいて搭載した回路基板と、前記撮像センサー素子に対応する前記軸心を包囲して窓を有して前記回路基板に固定された台座と、前記台座上に前記軸心に同心状に切り換えレバー付きで環状をした回転筒体、内周面に雌ネジを設けたマクロコア、撮像レンズ群を内蔵して外周に前記雌ネジに螺合する雄ネジを有するレンズホルダー、付勢手段、中央に開口部を有するカバーが重ねられ、前記カバーが前記台座に締め付け固定され、前記台座上に前記軸心に対して同軸状にガイド筒部が突設され、前記ガイド筒部の外周に前記回転筒体が回転可能に嵌められ、前記回転筒体の前記軸心の回りでの回転に伴って前記撮像レンズ群付きの前記レンズホルダーが前記軸心の方向に移動する撮像レンズ繰り出し装置であって、
前記マクロコアの下面に前記ガイド筒部の先端部を嵌める環状溝が設けられ、前記ガイド筒部の先端部に前記マクロコアの前記環状溝が摺動自在に嵌められ、前記回転筒体の上面に前記軸心の方向に対する高さが周方向に沿って徐々に変わる複数の傾斜カム面が設けられ、前記マクロコアの下面に前記各傾斜カム面に当接する突起がそれぞれ設けられ、前記回転筒体の前記軸心の回りでの回転に伴う複数の前記傾斜カム面の回転で前記各突起の前記傾斜カム面上での接触位置が変わって、前記レンズホルダーを備えた前記マクロコアが前記軸心の方向に移動するようになっていることを特徴とする。
【０００７】
請求項２に記載の発明は、請求項１に記載の構成に加え、前記ガイド筒部の先端部がシールリングを介して前記マクロコアの前記環状溝に嵌められて環状のシール部が、前記回転筒体より径方向の内側に形成されていることを特徴とする。
【発明の効果】
【０００８】
本発明に係る撮像レンズ繰り出し装置は、マクロコアの下面にガイド筒部の先端部を嵌める環状溝を設け、ガイド筒部の先端部にマクロコアの環状溝を摺動自在に嵌めているので、ガイド筒部をガイドとしてマクロコアを軸心の方向に移動させることができる。また、回転筒体の上面に軸心の方向に対する高さが周方向に沿って徐々に変わる複数の傾斜カム面を設け、マクロコアの下面に各傾斜カム面に当接する突起をそれぞれ設け、回転筒体の軸心の回りでの回転に伴う複数の傾斜カム面の回転で各突起の傾斜カム面上での接触位置が変わって、レンズホルダーを備えたマクロコアを軸心の方向に移動することができる。このため本発明によれば、切り換えレバーの回転時に撮像レンズ群は回らず、軸心の方向に移動することができ、このため撮像レンズ群の光軸の向きが変わらない利点がある。
【０００９】
また、ガイド筒部の先端部をシールリングを介してマクロコアの環状溝に嵌めてシール部を、回転筒体より径方向の内側に形成することによって、このシール部は傾斜カム面とこれに接触する突起との摺動箇所の径方向の内側に存在し、このため摺動箇所で発生する摩耗粉が撮像レンズ群側に移動するのを阻止することができる。
【発明を実施するための最良の形態】
【００１０】
以下、本発明に係る撮像レンズ繰り出し装置を実施するための最良の形態を、図１乃至図３に示す実施例を参照して詳細に説明する。ここで、図１は本実施例の撮像レンズ繰り出し装置の分解斜視図、図２は本例の撮像レンズ繰り出し装置の組立状態の斜視図、図３は本例の撮像レンズ繰り出し装置の縦断面図である。
【００１１】
本例の撮像レンズ繰り出し装置は、図１に示すように、撮像センサー素子１を中央の垂直な軸心２に中心をおいて搭載した回路基板３と、赤外線フィルター４と、撮像センサー素子１に対応する軸心２を包囲して窓５を有して回路基板３に固定された台座６と、台座６上に軸心２に同心状に切り換えレバー７付きで環状をした回転筒体８、シールリング９、内周面に雌ネジ１０を設けたマクロコア１１、撮像レンズ群１２を内蔵して外周に雌ネジ１０に螺合する雄ネジ１３を有するレンズホルダー１４、付勢手段としての環状のウエーブワッシャ１５、中央に開口部１６を有するカバー１７が重ねられるようになっている。
【００１２】
回路基板３は四角形をなしていて、その上に該回路基板３中央の垂直な軸心２に中心をおいて四角形の撮像センサー素子１が載せられて、ワイヤーボンディング１８で接続されている。撮像センサー素子１の上には、赤外線フィルター４が重ねられている。軸心２を包囲して窓５を有する四角形の台座６が回路基板３の上に載せられている。回路基板３に台座６が接着剤で固定されている。台座６の上面の四隅には、コーナーブラケット１９が突設されている。四角形の台座６の対向する２つの辺に対応する側で各コーナーブラケット１９の外面には、フック突起２０がそれぞれ突設されている。台座６の上面には、軸心２に対して同軸状に環状のガイド筒部２１が突設されている。
【００１３】
ガイド筒部２１の外周には、切り換えレバー７を備えた環状の回転筒体８が回転可能に嵌められている。回転筒体８の上面には、軸心２の方向に対する高さが周方向に沿って徐々に変わる複数（本例では３つ）の傾斜カム面２２が連続して１２０度間隔で設けられている。各傾斜カム面２２は、軸心２の方向に対する高さが本例では反時計方向に徐々に高くなる構造になっている。
【００１４】
マクロコア１１の下面には、ガイド筒部２１の先端部を嵌める環状溝２３が設けられている。マクロコア１１の下面には、環状溝２３の径方向の外側で各傾斜カム面２２に当接する突起２４がそれぞれ設けられている。ガイド筒部２１の先端部に、シールリング９を介してマクロコア１１の環状溝２３が嵌められて環状のシール部２５が形成されている。マクロコア１１は、その環状溝２３に嵌ったガイド筒部２１をガイドとして軸心２の方向に摺動可能になっている。マクロコア１１の外周には、その外周に周方向に９０度間隔で回り止め突起２６が突設されている。これら回り止め突起２６は、台座６の四隅のコーナーブラケット１９の内向きの凹部１９ａに嵌められていてマクロコア１１の回り止めをなしている。コーナーブラケット１９の内周の雌ネジ１０に、撮像レンズ群１２を内蔵したレンズホルダー１４の雄ネジ１３が螺合されて固定されている。レンズホルダー１４の上面には、このレンズホルダー１４を回転するための複数の凹部２７が設けられている。
【００１５】
マクロコア１１の上面には、環状のウエーブワッシャ１５が重ねられ、レンズホルダー１４の上面には中央に開口部１６を有する四角形のカバー１７が重ねられている。カバー１７には、台座６の各フック突起２０に対応してフックループ２８が下向きに突設されている。カバー１７は、台座６側に押圧してその各フックループ２８を台座６の各フック突起２０に嵌めて締め付け固定されている。
【００１６】
このような撮像レンズ繰り出し装置は、切り換えレバー７を回転操作しての回転筒体８の軸心２の回りでの回転に伴って、その上面の傾斜カム面２２が一緒に回転する。傾斜カム面２２の回転で、マクロコア１１の各突起２４は傾斜カム面２２上での接触位置が徐々に変わり、マクロコア１１が軸心２の方向に徐々に移動し、撮像レンズ群１２を備えたレンズホルダー１４が撮像センサー素子１に対する距離が変わる。
【００１７】
このような構造の撮像レンズ繰り出し装置は、切り換えレバー７の回転時に撮像撮像レンズ群１２は回らず、軸心２の方向に移動することができ、このため撮像レンズ群１２の光軸の向きが変わらない利点がある。
【００１８】
また、台座６のガイド筒部２１の先端部をシールリング９を介してマクロコア１１の環状溝２３に嵌めてシール部２５を、回転筒体８の径方向の内側に形成しているので、このシール部２５は傾斜カム面２２とこれに接触する突起２４との摺動箇所の径方向の内側に存在し、このため摺動箇所で発生する摩耗粉が撮像レンズ群１２側に移動するのを阻止することができる。
【００１９】
なお、上記例では付勢手段としてウエーブワッシャ１５を用いたが、本発明はこれに限定されるものではなく、レンズホルダー１４とカバー１７との間に、軸心２の周方向に間欠的に配置された複数のコイルスプリングを用いることもできる。
【図面の簡単な説明】
【００２０】
【図１】本発明に係る撮像レンズ繰り出し装置の一実施例の分解斜視図である。
【図２】本例の撮像レンズ繰り出し装置の組立状態の斜視図である。
【図３】本例の撮像レンズ繰り出し装置の縦断面図である。
【符号の説明】
【００２１】
１  撮像センサー素子
２  軸心
３  回路基板
４  赤外線フィルター
５  窓
６  台座
７  切り換えレバー
８  回転筒体
９  シールリング
１０  雌ネジ
１１  マクロコア
１２  撮像レンズ群
１３  雄ネジ
１４  レンズホルダー
１５  ウエーブワッシャ
１６  開口部
１７  カバー
１８  ワイヤーボンディング
１９  コーナーブラケット
１９ａ  凹部
２０  フック突起
２１  ガイド筒部
２２  傾斜カム面
２３  環状溝
２４  突起
２５  シール部
２６  回り止め突起
２７  凹部
２８  フックループ
【図１】
2008191383.tif 000003
【図２】
2008191383.tif 000004
【図３】
2008191383.tif 000005